(57)【要約】【課題】蓋体に形成されている内方突起を鉗子栓本体に形成されている円周溝に係合させるために押し広げて移動させる動作が引っ掛かりなくスムーズに行われて、蓋体を鉗子栓本体に確実に取り付けることができる内視鏡の鉗子栓を提供すること。【解決手段】鉗子栓本体１１の外周面２４に円周溝２１が形成されて、鉗子栓本体１１の突端入口部１５寄りの部分の周囲を囲む状態に蓋体１２側から突設された環状壁２２の先端部分に、円周溝２１に対して係脱自在な内方突起２３が突出形成され、蓋体１２の内方突起２３を鉗子栓本体１１の外周面２４に沿わせて押し広げた状態に弾性変形させて内方突起２３を円周溝２１に係脱させるようにした内視鏡の鉗子栓において、鉗子栓本体１１の外周面２４の円周溝２１より突端入口部１５寄りの部分を、突端入口部１５側へ次第に径が細くなるテーパ状に形成した。【選択図】      図１
2006296609.tif 000002
【特許請求の範囲】
【請求項１】
基部が内視鏡の処置具挿通チャンネルの入口部分に着脱自在に取り付けられる筒状の鉗子栓本体と上記鉗子栓本体の突端入口部に着脱自在に取り付けられる蓋体とが共に弾力性のある部材により形成されて、上記処置具挿通チャンネルに挿通される処置具によって押し開かれる閉鎖膜が上記鉗子栓本体と上記蓋体とに設けられた内視鏡の鉗子栓であって、
上記鉗子栓本体の外周面に円周溝が形成されて、上記鉗子栓本体の突端入口部寄りの部分の周囲を囲む状態に上記蓋体側から突設された環状壁の先端部分に、上記円周溝に対して係脱自在な内方突起が突出形成され、上記蓋体の内方突起を上記鉗子栓本体の外周面に沿わせて押し広げた状態に弾性変形させて上記内方突起を上記円周溝に係脱させるようにした内視鏡の鉗子栓において、
上記鉗子栓本体の外周面の上記円周溝より上記突端入口部寄りの部分を、上記突端入口部側へ次第に径が細くなるテーパ状に形成したことを特徴とする内視鏡の鉗子栓。
【請求項２】
上記蓋体の上記環状壁の内周面が、上記鉗子栓本体の外周面の上記円周溝より上記突端入口部寄りの部分に沿うテーパ状に形成されている請求項１記載の内視鏡の鉗子栓。
【請求項３】
上記蓋体の内方突起が上記環状壁の先端部分から全周にわたって内方に突出形成されている請求項１又は２記載の内視鏡の鉗子栓。
【発明の詳細な説明】
【技術分野】
【０００１】
この発明は内視鏡の鉗子栓に関する。
【背景技術】
【０００２】
内視鏡の鉗子栓は一般に、例えば図５に示されるように、基部が内視鏡の処置具挿通チャンネル３の入口口金４に着脱自在に取り付けられる筒状の鉗子栓本体９１と、その鉗子栓本体９１の突端入口部に着脱自在に取り付けられる蓋体９２とが共に弾力性のある部材により形成されて、処置具挿通チャンネル３に挿通される処置具によって押し開かれる閉鎖膜９３，９４が鉗子栓本体９１と蓋体９２とに設けられている。
【０００３】
そして、鉗子栓本体９１に蓋体９２を係脱させるために、鉗子栓本体９１の外周面に円周溝９５が形成されて、鉗子栓本体９１の突端入口部寄りの部分の周囲を囲む状態に蓋体９２側から突設された環状壁９６の先端部分に、円周溝９５に対して係脱自在な内方突起９７が全周にわたって突出形成されている。
（例えば、特許文献１）。
【特許文献１】特開２００５−８０８６７
【発明の開示】
【発明が解決しようとする課題】
【０００４】
上述のような内視鏡の鉗子栓において、蓋体９２を鉗子栓本体９１に取り付ける際には、蓋体９２が鉗子栓本体９１から外された図６に示される状態から、図７に示されるように、蓋体９２の内方突起９７を鉗子栓本体９１の外周面９８に沿わせて押し広げた状態に弾性変形させて円周溝９５側に移動させ、内方突起９７を円周溝９５に係脱させる。
【０００５】
しかし、従来の内視鏡の鉗子栓においては、蓋体９２の内方突起９７を鉗子栓本体９１の外周面９８に沿わせて押し広げると、内方突起９７と鉗子栓本体９１の外周面９８との間に非常に大きな摩擦抵抗が発生する。
【０００６】
そのため、図８に示されるように、内方突起９７が鉗子栓本体９１の外周面９８に引っ掛かって環状壁９６が弾性変形したままの状態になり、外部からは内方突起９７が円周溝９５に係合しているかのように見えるので、その状態で内視鏡を使用して処置具挿通チャンネル３内から体内汚液等が噴出して周囲を汚染してしまう可能性があった。
【０００７】
そこで本発明は、蓋体に形成されている内方突起を鉗子栓本体に形成されている円周溝に係合させるために押し広げて移動させる動作が引っ掛かりなくスムーズに行われて、蓋体を鉗子栓本体に確実に取り付けることができる内視鏡の鉗子栓を提供することを目的とする。
【課題を解決するための手段】
【０００８】
上記の目的を達成するため、本発明の内視鏡の鉗子栓は、基部が内視鏡の処置具挿通チャンネルの入口部分に着脱自在に取り付けられる筒状の鉗子栓本体と鉗子栓本体の突端入口部に着脱自在に取り付けられる蓋体とが共に弾力性のある部材により形成されて、処置具挿通チャンネルに挿通される処置具によって押し開かれる閉鎖膜が鉗子栓本体と蓋体とに設けられた内視鏡の鉗子栓であって、鉗子栓本体の外周面に円周溝が形成されて、鉗子栓本体の突端入口部寄りの部分の周囲を囲む状態に蓋体側から突設された環状壁の先端部分に、円周溝に対して係脱自在な内方突起が突出形成され、蓋体の内方突起を鉗子栓本体の外周面に沿わせて押し広げた状態に弾性変形させて内方突起を円周溝に係脱させるようにした内視鏡の鉗子栓において、鉗子栓本体の外周面の円周溝より突端入口部寄りの部分を、突端入口部側へ次第に径が細くなるテーパ状に形成したものである。
【０００９】
なお、蓋体の環状壁の内周面が、鉗子栓本体の外周面の円周溝より突端入口部寄りの部分に沿うテーパ状に形成されていてもよく、蓋体の内方突起が環状壁の先端部分から全周にわたって内方に突出形成されていてもよい。
【発明の効果】
【００１０】
本発明によれば、鉗子栓本体の外周面の円周溝より突端入口部寄りの部分を、突端入口部側へ次第に径が細くなるテーパ状に形成したことにより、蓋体に形成されている内方突起を鉗子栓本体に形成されている円周溝に係合させるために押し広げて移動させる動作が引っ掛かりなくスムーズに行われて、蓋体を鉗子栓本体に確実に取り付けることができる。
【発明を実施するための最良の形態】
【００１１】
基部が内視鏡の処置具挿通チャンネルの入口部分に着脱自在に取り付けられる筒状の鉗子栓本体と鉗子栓本体の突端入口部に着脱自在に取り付けられる蓋体とが共に弾力性のある部材により形成されて、処置具挿通チャンネルに挿通される処置具によって押し開かれる閉鎖膜が鉗子栓本体と蓋体とに設けられた内視鏡の鉗子栓であって、鉗子栓本体の外周面に円周溝が形成されて、鉗子栓本体の突端入口部寄りの部分の周囲を囲む状態に蓋体側から突設された環状壁の先端部分に、円周溝に対して係脱自在な内方突起が突出形成され、蓋体の内方突起を鉗子栓本体の外周面に沿わせて押し広げた状態に弾性変形させて内方突起を円周溝に係脱させるようにした内視鏡の鉗子栓において、鉗子栓本体の外周面の円周溝より突端入口部寄りの部分を、突端入口部側へ次第に径が細くなるテーパ状に形成する。
【実施例】
【００１２】
図面を参照して本発明の実施例を説明する。
図２において、１は内視鏡の挿入部、２は、挿入部１の基端に連結された操作部である。
【００１３】
挿入部１内には、図示されていない処置具を挿通するための処置具挿通チャンネル３が全長にわたって挿通配置されていて、操作部２の下端部に配置された処置具挿通チャンネル３の入口開口部には、処置具挿通チャンネル３を通って逆流する体内汚液等が外方に吹き出さないようにするための鉗子栓１０が着脱自在に取り付けられている。
【００１４】
鉗子栓１０は、その拡大断面を図示する図１にも示されるように、処置具挿通チャンネル３の入口口金４に取り付けられる筒状に形成された鉗子栓本体１１と、鉗子栓本体１１の突端入口部１５に着脱自在な蓋体１２とを有していて、全体が弾力性のあるゴム材等によって構成されている。
【００１５】
鉗子栓本体１１の内面の基端寄りの部分には、処置具挿通チャンネル３の入口口金４に対して係脱自在な小径部１３が形成されており、小径部１３を弾性変形させて、入口口金４を締め付ける状態に取り付け及び取り外すことができる。なお、図１には、小径部１３の弾性変形していない形状が入口口金４と重ねて図示されている。
【００１６】
蓋体１２は、弾力性のあるゴム材により蓋体１２と一体に形成された連結紐状部材１４で鉗子栓本体１１の基部と連結されていて、鉗子栓本体１１から取り外されてもその近くにぶら下げられた状態になるようになっている。
【００１７】
鉗子栓本体１１内と蓋体１２には、各々閉鎖膜１６，１７が形成されていて、鉗子栓本体１１内の閉鎖膜１６には処置具挿通チャンネル３に挿通される処置具により押し開かれる小孔１８が形成され、蓋体１２の閉鎖膜１７には、処置具挿通チャンネル３に挿通される処置具により押し開かれるスリット１９が形成されている。
【００１８】
したがって、蓋体１２が鉗子栓本体１１に取り付けられて処置具が使用されない図１に示される状態では、蓋体１２に形成されたスリット１９により処置具挿通チャンネル３内から体内汚液等が噴出しないように封止される。
【００１９】
そして、図示されていない処置具が処置具挿通チャンネル３に挿脱される際には、小孔１８とスリット１９により処置具の外周面との間がシールされ、注射器で処置具挿通チャンネル３内に薬液等を送り込む場合には、蓋体１２を外して小孔１８を薬液通路にすることができる。
【００２０】
このように構成された鉗子栓１０において、鉗子栓本体１１の突端入口部１５近くの外周面２４には円周溝２１が全周にわたり形成されていて、その鉗子栓本体１１の突端入口部１５寄りの部分の周囲を囲む状態に、蓋体１２側から環状壁２２が突出形成されている。
【００２１】
そして、円周溝２１に全周にわたり係合させることができる内方突起２３が環状壁２２の先端部分の内周部全周から内方に突出形成されていて、内方突起２３を鉗子栓本体１１の外周面２４に沿わせて押し広げた状態に弾性変形させて円周溝２１に係脱させることができる。
【００２２】
その内方突起２３を円周溝２１に係合させる際に内方突起２３が接触する、鉗子栓本体１１の外周面２４の円周溝２１より突端入口部１５寄りの部分は、突端入口部１５側へ次第に径が細くなる先細りのテーパ状に形成されている。
【００２３】
また、蓋体１２が鉗子栓本体１１に取り付けられた状態の時に鉗子栓本体１１の外周面２４の円周溝２１より突端入口部１５寄りの部分に面する蓋体１２の環状壁２２の内周面は、鉗子栓本体１１の外周面２４に沿うテーパ状に形成されている。
【００２４】
そのような構成により、蓋体１２が鉗子栓本体１１から取り外されている図３に示される状態から、蓋体１２を鉗子栓本体１１に取り付けていくと、図４に示されるように、蓋体１２の内方突起２３が鉗子栓本体１１の外周面２４に接触して押し広げられた状態に弾性変形するが、その部分では鉗子栓本体１１の外周面２４が先細りのテーパ状に形成されているので、内方突起２３の弾性変形量が従来に比べて小さく、したがって鉗子栓本体１１の外周面２４に対して内方突起２３がスライドする際の摩擦抵抗が小さい。
【００２５】
したがって、内方突起２３が途中で引っ掛かることなく円周溝２１の近くまでスムーズに移動し、最後に内方突起２３が円周溝２１に係合する直前には鉗子栓本体１１の外周面２４の外径寸法が大きくなっているので従来と同程度の摩擦抵抗が発生するものの、それは最後の瞬間だけで内方突起２３が円周溝２１の縁部まで来ているので、図１に示されるように、内方突起２３が自己の弾性で円周溝２１内に嵌め込まれた状態になる。
【００２６】
このようにして内方突起２３が円周溝２１に係合した状態になると、蓋体１２の環状壁２２の内周面が鉗子栓本体１１の外周面２４に密接し、さらに蓋体１２の閉鎖膜１７部分が鉗子栓本体１１の突端入口部１５の内周面に密接することもあって、蓋体１２が鉗子栓本体１１の突端入口部１５に漏れのない状態に取り付けられる。
【図面の簡単な説明】
【００２７】
【図１】本発明の実施例の内視鏡の鉗子栓の側面断面図である。
【図２】本発明の実施例の内視鏡の全体構成を示す側面図である。
【図３】本発明の実施例の内視鏡の鉗子栓の蓋体を鉗子栓本体に取り付ける際の動作の側面断面図である。
【図４】本発明の実施例の内視鏡の鉗子栓の蓋体を鉗子栓本体に取り付ける際の動作の側面断面図である。
【図５】従来の内視鏡の鉗子栓の側面断面図である。
【図６】従来の内視鏡の鉗子栓の蓋体を鉗子栓本体に取り付ける際の動作の側面断面図である。
【図７】従来の内視鏡の鉗子栓の蓋体を鉗子栓本体に取り付ける際の動作の側面断面図である。
【図８】従来の内視鏡の鉗子栓の蓋体を鉗子栓本体に取り付ける際の動作の側面断面図である。
【符号の説明】
【００２８】
３  処置具挿通チャンネル
４  入口口金
１０  鉗子栓
１１  鉗子栓本体
１２  蓋体
１５  突端入口部
１６  閉鎖膜
１７  閉鎖膜
２１  円周溝
２２  環状壁
２３  内方突起
２４  外周面
【図１】
2006296609.tif 000003
【図２】
2006296609.tif 000004
【図３】
2006296609.tif 000005
【図４】
2006296609.tif 000006
【図５】
2006296609.tif 000007
【図６】
2006296609.tif 000008
【図７】
2006296609.tif 000009
【図８】
2006296609.tif 000010